(57)【要約】【課題】  家庭用電気掃除機の排気を室外の外部に出すことを容易にした。その結果、排気によるゴミの飛散、排気中に含まれる微細なホコリなどを除去し、室内の清掃および空気の清浄化を達成する。【解決手段】  従来の家庭用掃除機を改良して、排気ホース１３を取り付けられるようにし、又ホース取り付け口４を有する室内と室外を遮断する治具１０を用いて、掃除機１１の排気を室外の外部に出すようにした。【選択図】図５
2012125528.tif 000002
【特許請求の範囲】
【請求項１】
主として家庭用電気掃除機において、室内の空気を清浄化する目的で排気を室外の外部にするために、排気ホースを付置することができるように、排気ホース用取り付け口を設けたことを特徴とする電気掃除機。
【請求項２】
特許請求第１項に記載の排気ホース用取り付け口を設けた電気掃除機と、その排気ホースを用いて、その排気を室外に出すときに、窓枠又は戸枠に固定される排気ホース用取り付け口を有する治具を用いることを特徴とする清掃方法。
【発明の詳細な説明】
【発明の詳細な説明】
【技術分野】
【０００１】  本発明は真空式の電気掃除機に改良を加えて、電気掃除機を用いて家庭の室内を清掃する場合に、その排気を室外の外部に出すことを容易にし、その排気中に含まれる微細なホコリ、その中には、いわゆるアレルギー疾患を引き起こすといわれている、ハウスダストやダニの破片などを容易に除去し、室内の清掃及び空気を清浄化するものである。
【背景技術】
【０００２】  家庭用掃除機の場合には、その排気は室内で行われるので、目に見えるようなゴミはきれいに清掃されるが、フイルターを通過する微細なチリやホコリは空中に舞い上がり、掃除したときは一見きれいに見えるが、後からそれらが落ちてきて床面を汚す。またこのような微細なホコリの中には、いわゆるアレルギー疾患をもたらすといわれている、ハウスダストやダニの破片などが含まれているため、その除去が問題となっている。それらの微細なホコリを除去するために、微細なフイルターを用いる掃除機も開発されている。又そのフイルターの目つまり、掃除機の馬力が大きくする必要があること、及び微細なフイルターが高価であること、掃除機そのものが高価であるなどで、あまり普及していないのが現状である。
【発明が解決しようとする課題】
【０００３】  そこで本発明は安価な、現在、最も普及している通常の電気掃除機に改良を加えて、排気を室外の外部に出すことを検討し、容易に室内の清掃及びその空気を清浄化することにある。そうすることによって室内が、本質的に清浄化され、アレルギー疾患の、喘息や鼻炎を防止できることに寄与すると思われる。排気を室外に行うのに、掃除機本体を屋外又は廊下に設置し、配管を壁や床下をめぐらせ、各部屋に吸い込み口を設け、ホースをつないで行う、いわゆるセントラル型が知られているが、この方法は建物を建設するときなどに、工事を行うことが有利であること、大掛かりな工事で費用が大幅にかかるなどの欠点があり、一般的ではない。
【課題を解決するための手段】
【０００４】  従来の家庭用掃除機は図１に示すように、室内に排気するようになっているので、排気ホース用の取り付け口が付いていない。排気を室外の外部に出すためには、排気ホースが取りつけられるように、排気ホース用の取り付け口が必要である。したがって本発明に用いる掃除機は、図２に示すように、排気ホース取り付け口を持つことを特徴とするものである。その掃除機を用いて、排気を室外の外部に出すために、図３に示すような治具とホースを用いて行うことを特徴とする清掃方法である。その治具は図３に示すように、排気ホースが取り付けられるようなホース取り付け口をもつ、基本的には、板状のものにホース取り付け口を持つ構造になっていて、窓枠又は戸枠で容易に固定できるようになっている。その形状は窓枠又は戸枠で簡単に取り付け、取り外しができるようにするため、その端部に凸および凹の断面をもつ構造になっていることが望ましい。その材質は、硬質のプラスチック、木材、ゴム、金属板などが望ましい。またその治具を取り付けるときは、窓又は戸を開けて、治具をセットし、窓又は戸を閉めて固定し、室外と室内を遮断する。清掃が終わったら、窓又は戸を開き治具を外す。本発明の治具を窓枠に取り付けた場合の例を図４に示す。このように室外と室内を容易に遮断するとともに、その取り付け、取り外しが容易にできるようにしたことを特徴とする治具である。
従来の清掃方法だと前述のように、大きめのゴミはよく清掃されるが、室内は掃除機の排気で、微細なホコリが舞い上がっているだけで、時間がたつと、床面を含め、一面にそれらの微細なホコリが散って積もり、清浄化が達成されない。いつもその繰り返しを行っているので、何年もの古いホコリが残っていることも考えられる。
ところが本発明を実施することにより、大きなゴミは掃除機のフイルターに捕集され、また微細なホコリは室外の外部に排気されるので、その室内の微細なホコリの量は掃除することにより、だんだん少なくなり、室内が限りなく清浄化されることになる。衛生的にも健康的にも望ましい結果となる。実際に試作テストしてみるとその清浄化はめざましい。室内の汚れが従来に比較し、相当にその速度が遅くなっていることを確認している。本発明の効果の大きいことが明らかである。
【実施例】
【０００５】  図２に示すようなシリンダー型の電気掃除機に、その排気部分に、ホースの取り付け口を設けるように改良し、また図３に示すようなプラスチック治具を試作し、それにプラスチック製のホースを準備し、図５に示すように結合し、治具は戸枠に固定し、掃除機を稼動し、その排気を室外の外部に出すようにして清掃を行った。その結果、室内は大きなゴミはもとより、微細なホコリも排出され、室内は清浄化された。従来の方式だと、小さなゴミと微細なゴミは、吸い込まれる前に、掃除機の後ろ部分は、排気の風によって、吸い込まれる前に、あおられて、空中に舞い上がる。また吸い込まれた微細なゴミは、また排出され室内の空気を汚すことになるので、本発明の場合と比較し、掃除後の室内の清浄度は大幅にことなり劣る。
本発明に使用できる掃除機には、今回使用したシリンダー型のほか、サイクロン式のもの、ポット式のものでも可能である。使用する治具の形状は、排気ホースを取り付ける取り付け口を有していること、窓枠又は戸枠で固定でき、室内と室外を遮断できることが重要で、その材質も限定するものでない。望ましくは、その形状が幅方向で、サッシなどの窓枠や戸枠で固定するために、片方に凸、その反対方向に凹の断面を持つ構造が望ましい。またその遮蔽の密度を上げるため、その治具の上下、左右の端部に難質のクッション材を貼り付けることが望ましい。
【本発明の効果】
【０００６】  本発明は、家庭用電気掃除機による清掃において、その排気を室外の外部に出すことを容易にするもので、その結果、室内の大きなゴミの清掃はもとより、排気の風によるゴミ及び微細なホコリのまき上げ、飛散を防止し、排気中に含まれる微細なホコリ、その中にはアレルギー疾患のもととなる、いわゆるハウスダストやダニの破片なども除去でき、衛生的にも健康的にも格段に良い結果をもたらすものである。
【図面の簡単な説明】
【図１】従来のシリンダー型電気掃除機の断面図を示す。
【図２】本発明に使用する排気用ホース取り付け口を設けた、シリンダー型電気掃除機の断面図を示す。
【図３】本発明に用いる、室内と室外とを遮断するための治具の平面図と立面図を示す。
【図４】本発明に用いる、室内と室外とを遮断するための治具を窓枠に使用した場合の、アルミサッシと戸枠でセット固定された例の模式図を示す。
【図５】本発明を実施する場合の、掃除機と室内と室外を遮断する治具をホースで結合し、電気掃除機の排気を室外に出す場合の結合の例の模式図を示す。
【符号の説明】  １  吸気ホース取り付け口
２  排気口
３  排気ホース取り付け口
４  ホース取り付け口
５  戸枠挿入用溝
６  サッシに挿入用凸部
７  窓枠
８  アルミサッシ
９  戸枠
１０  室内と室外を遮断するための治具
１１  排気ホース用取り付け口を有する電気掃除機
１２  吸気用ホース
１３  排気用ホース
１４  延長パイプ
１５  床ブラス
【図１】
2012125528.tif 000003
【図２】
2012125528.tif 000004
【図３】
2012125528.tif 000005
【図４】
2012125528.tif 000006
【図５】
2012125528.tif 000007